(57)【要約】      （修正有）【課題】粉体のカンナビノールを収納袋に収納可能な破れにくいコンドームを提供する。【解決手段】コンドームＡであって、筒状のカバー本体１を備え、前記カバー本体の先端の縁に環状の連結クッション２が固定されており、前記連結クッションには、前記コンドームの先端となるバリアマット３が、前記カバー本体の先端を閉じるように固定されており、開口となっている前記カバー本体の基端の外周面に取付座金４が固定されており、前記取付座金には、連結部材５及び枠体６を介して、粉体が収納される収納袋８が取り付けられており、前記枠体は前記連結部材によって、前記取付座金と間隔をおいて接続されており、前記枠体は４つの側面を有する矩形断面の筒状であり、前記枠体の一端には、グロメット７が固定されており、前記枠体の開口を開閉するための連結用プラグプレートが設けられている。【選択図】図１
0003232639.tif 000002
【実用新案登録請求の範囲】
【請求項１】
粉体のカンナビノールを収納することができるコンドームであって、筒状のカバー本体（１）を備え、
前記カバー本体（１）の先端の縁に環状の連結クッション（２）が固定されており、前記連結クッション（２）には、前記コンドームの先端となるバリアマット（３）が、前記カバー本体（１）の先端を閉じるように固定されており、
開口となっている前記カバー本体（１）の基端の外周面に取付座金（４）が固定されており、前記取付座金（４）には、連結部材（５）及び枠体（６）を介して、粉体が収納される収納袋（８）が取り付けられており、
前記枠体（６）は前記連結部材（５）によって、前記取付座金（４）と間隔をおいて接続されており、
前記枠体（６）は４つの側面を有する矩形断面の筒状であり、前記枠体（６）の一端には、グロメット（７）が固定されており、前記グロメット（７）の内側には収納袋（８）の開口の縁が固定されており、前記枠体（６）の一端には前記収納袋（８）内に粉体を収納するための開口が前記グロメット（７）と隣接して設けられており、
前記枠体（６）の前記第１側面と対向する第３側面には、貫通溝が設けられており、前記貫通溝に、前記枠体（６）の開口を閉じるための連結用プラグプレート（１２）が挿入されており、前記連結用プラグプレート（１２）が前記枠体（６）内へとスライドされることを特徴とするコンドーム。
【請求項２】
前記枠体（６）の対向する第２側面及び第４側面には、それぞれスリーブ（９）が取り付けられており、
前記スリーブ（９）内にネジ棒（１１）がネジ止めされており、前記ネジ棒（１０）は前記第２側面及び第４側面を貫通して、先端が前記枠体（６）内に突出しており、前記スリーブ（９）から外部に露出した前記ネジ棒（１０）の端部にはグリップ（１１）が取り付けられ、
前記連結用プラグプレート（１２）に２つのネジ孔（１６）が設けられており、前記ネジ孔（１６）に前記ネジ棒（１０）の先端が嵌合されることにより、前記連結用プラグプレート（１２）を、前記枠体（６）の開口を閉じた状態で固定することを特徴とする、請求項１に記載のコンドーム。
【請求項３】
前記連結用プラグプレート（１２）は、前記枠体（６）の貫通溝から外部に露出した端部に位置制限プレート（１３）が取り付けられ、
前記位置制限プレート（１３）を貫通する２つのシールプラグ（１４）が設けられており、前記シールプラグ（１４）は、前記連結用プラグプレート（１２）の２つの側部に沿って、前記位置制限プレート（１３）に対して可動的に、前記位置制限プレート（１３）に取り付けられていることを特徴とする請求項２に記載のコンドーム。
【請求項４】
前記位置制限プレート（１３）を貫通する２つの制限孔が設けられ、前記制限孔に、前記シールプラグ（１４）が挿入されており、前記シールプラグ（１４）は、外部に露出した端部にプッシュプルリング（１５）が固定されていることを特徴とする、請求項３に記載のコンドーム。
【請求項５】
前記連結部材（５）が軟質ゴムで形成されており、前記連結クッション（２）と前記バリアマット（３）とは一体形成された１つの部材であることを特徴とする、請求項１〜４のいずれか１項に記載のコンドーム。
【請求項６】
前記収納袋（８）が繊維で形成されており、前記グロメット（７）が前記収納袋（８）と一体で構成されていることを特徴とする、請求項１〜５のいずれか１項に記載のコンドーム。
【考案の詳細な説明】
【技術分野】
【０００１】
本考案は、避妊具であるコンドームに関する。この実用新案は避妊技術分野に関するものであり、具体的には粉体のカンナビノールを収納できる新規の構造のコンドームである。
【背景技術】
【０００２】
コンドームは、サックとも呼ばれ、非薬物の形で受胎を阻止する簡単な方法の一つであり、また、淋病、エイズ等の性病の感染を防止する作用があり、様々なコンドームが存在している（特許文献１，２）。
【０００３】
このように、コンドームは薬を用いないで物理的に受胎を阻止するための道具である。そのため人体に無害で健康であるが、使用者の体験を高めるために既存のコンドームは材質が非常に薄いものが多いため、破れたり漏れたりしやすく、本来の機能を失ってしまうので、カンナビノールを収納できる新しい構造のコンドームを提案することにより、上記問題を解決しようとするものである。
【先行技術文献】
【特許文献】
【０００４】
【特許文献１】特開２０２０−３６７４２号公報
【特許文献２】特開２０２０−１２４４５６号公報
【考案の概要】
【考案が解決しようとする課題】
【０００５】
本考案は、本考案は、従来技術の欠点を解決するために、カンナビノールを収納袋に収納可能なコンドームを提供し、収納可能、密封可能等の利点を有し、容易に破れてしまうという問題を解決することを目的とする。
【課題を解決するための手段】
【０００６】
本考案のコンドームは、粉体のカンナビノールを収納することができるコンドームであって、筒状のカバー本体１を備え、前記カバー本体１の先端の縁に環状の連結クッション２が固定されており、前記連結クッション２には、前記コンドームの先端となるバリアマット３が、前記カバー本体１の先端を閉じるように固定されており、開口となっている前記カバー本体１の基端の外周面に取付座金４が固定されており、前記取付座金４には、連結部材５及び枠体６を介して、粉体が収納される収納袋８が取り付けられており、前記枠体６は前記連結部材５によって、前記取付座金４と間隔をおいて接続されており、前記枠体６は４つの側面を有する矩形断面の筒状であり、前記枠体６の一端には、グロメット７が固定されており、前記グロメット７の内側には収納袋８の開口の縁が固定されており、前記枠体６の一端には前記収納袋８内に粉体を収納するための開口が前記グロメット７と隣接して設けられており、前記枠体６の前記第１側面と対向する第３側面には、貫通溝が設けられており、前記貫通溝に、前記枠体６の開口を閉じるための連結用プラグプレート１２が挿入されており、前記連結用プラグプレート１２が前記枠体６内へとスライドされることを特徴とする。
【０００７】
前記枠体６の対向する第２側面及び第４側面には、それぞれスリーブ９が取り付けられており、前記スリーブ９内にネジ棒１１がネジ止めされており、前記ネジ棒１０は前記第２側面及び第４側面を貫通して、先端が前記枠体６内に突出しており、前記スリーブ９から外部に露出した前記ネジ棒１０の端部にはグリップ１１が取り付けられ、前記連結用プラグプレート１２に２つのネジ孔１６が設けられており、前記ネジ孔１６に前記ネジ棒１０の先端が嵌合されることにより、前記連結用プラグプレート１２を、前記枠体６の開口を閉じた状態で固定することができる。
【０００８】
前記連結用プラグプレート１２は、前記枠体６の貫通溝から外部に露出した端部に位置制限プレート１３が取り付けられ、前記位置制限プレート１３を貫通する２つのシールプラグ１４が設けられており、前記シールプラグ１４は、前記連結用プラグプレート１２の２つの側部に沿って、前記位置制限プレート１３に対して可動的に、前記位置制限プレート１３に取り付けられている。
【０００９】
前記位置制限プレート１３を貫通する２つの制限孔が設けられ、前記制限孔に、前記シールプラグ１４が挿入されており、前記シールプラグ１４は、外部に露出した端部にプッシュプルリング１５が固定されている。
【００１０】
前記連結部材５が軟質ゴムで形成されており、前記連結クッション２と前記バリアマット３とは一体形成された１つの部材である。
【００１１】
前記収納袋８が繊維で形成されており、前記グロメット７が前記収納袋８と一体で構成されている。
【考案の効果】
【００１２】
本考案のコンドームは、本考案のコンドームは、粉体のカンナビノールを収納することができるコンドームであって、筒状のカバー本体１を備え、前記カバー本体１の先端の縁に環状の連結クッション２が固定されており、前記連結クッション２には、前記コンドームの先端となるバリアマット３が、前記カバー本体１の先端を閉じるように固定されており、開口となっている前記カバー本体１の基端の外周面に取付座金４が固定されており、前記取付座金４には、連結部材５及び枠体６を介して、粉体が収納される収納袋８が取り付けられており、前記枠体６は前記連結部材５によって、前記取付座金４と間隔をおいて接続されており、前記枠体６は４つの側面を有する矩形断面の筒状であり、前記枠体６の一端には、グロメット７が固定されており、前記グロメット７の内側には収納袋８の開口の縁が固定されており、前記枠体６の一端には前記収納袋８内に粉体を収納するための開口が前記グロメット７と隣接して設けられており、前記枠体６の前記第１側面と対向する第３側面には、貫通溝が設けられており、前記貫通溝に、前記枠体６の開口を閉じるための連結用プラグプレート１２が挿入されており、前記連結用プラグプレート１２が前記枠体６内へとスライドされることにより、粉体のカンナビノール等を収納袋に収納可能なコンドームを実現することができる、収納可能、密封可能等の利点を有することができ、カバー本体１のシール性を高め、破れによる漏れを防止することができる。
【００１３】
前記連結用プラグプレート１２は、前記枠体６の貫通溝から外部に露出した端部に位置制限プレート１３が取り付けられ、前記位置制限プレート１３を貫通する２つのシールプラグ１４が設けられており、前記シールプラグ１４は、前記連結用プラグプレート１２の２つの側部に沿って、前記位置制限プレート１３に対して可動的に、前記位置制限プレート１３に取り付けられており、前記位置制限プレート１３を貫通する２つの制限孔が設けられ、前記制限孔に、前記シールプラグ１４が挿入されており、前記シールプラグ１４は、外部に露出した端部にプッシュプルリング１５が固定されていることにより、前記連結用プラグプレート１２によって前記枠体６の開口を塞ぐことができ、連結用プラグプレート１２のネジ孔１６にネジ棒１１を係合させること、及び、隙間を前記シールプラグ１４によって密閉することにより前記収納袋８内の粉体がこぼれることを防止することができ、分解、再充填を容易に行うことができるようになる。
【００１４】
前記連結部材５が軟質ゴムで形成されており、前記連結クッション２と前記バリアマット３とは一体形成された１つの部材であることにより、前記連結部材５を切断したり、分離したりすることができるようになる。
【図面の簡単な説明】
【００１５】
【図１】本考案のコンドームの正面図である。
【図２】コンドームの枠体を開口を上から見た面図である。
【考案を実施するための形態】
【００１６】
本考案のコンドームＡについて、図１，２を用いて以下に詳細に説明する。本考案のコンドームＡは、粉体のカンナビノールを収納することができるコンドームであって、図１に示すように、筒状のカバー本体１を備え、前記カバー本体１の先端の縁には環状の連結クッション２が固定されており、前記連結クッション２には、前記コンドームの先端となるバリアマット３が、前記カバー本体１の先端を閉じるように固定されている。このように、前記カバー本体１、前記連結クッション２及び前記バリアマット３によって、コンドームＡの本体部分が形成されている。前記バリアマット３は図１に示すように、先細りの形状を有しているが、形状は限定するものではなく、適宜変更が可能である。そして、連結クッション２とバリアマット３とは一体とすることができる。これにより、コンドームＡの本体部分のシール性を高め、破れて漏れることを防止することができる。コンドームＡの本体部分については、従来のコンドームのように様々な形状、及び色等を用いることが可能であり、特に限定するものではない。
【００１７】
図１に示すように、開口となっている前記カバー本体１の基端の外周面に取付座金４が固定されており、前記取付座金４には、２つの連結部材５及び枠体６を介して、カンナビノール等の粉体が収納される収納袋８が取り付けられている。前記連結部材５の材質は軟質ゴムとすることが好ましい。これにより、前記連結部材５を切断したり、分離したりすることで、前記枠体６及び前記収納袋８をコンドームＡの本体部分から取り外すことがができるようになる。
【００１８】
図１に示すように、前記枠体６は２つの前記連結部材５によって、前記取付座金４と間隔をおいて接続されている。図２は、前記枠体６を図１において、カバー本体１側から見た時の図であり、図２に示すように、前記枠体６は４つの側面を有する矩形断面の筒状である。図１に示すように、前記枠体６の一端には、グロメット７が固定されており、前記グロメット７の内側には収納袋８の開口の縁が固定されている。前記枠体６の一端には前記収納袋８内に粉体を収納するための開口が前記グロメット７と隣接して設けられており、前記枠体６の前記第１側面と対向する第３側面には、貫通溝が設けられており、前記貫通溝に、前記枠体６の開口を閉じるための連結用プラグプレート１２が挿入されている。前記収納袋８は繊維で形成可能であり、前記グロメット７と前記収納袋８とを一体で構成することができる。図２（Ａ）は前記枠体６の開口が少し開いた状態を示しており、図２（Ｂ）は前記枠体６の開口を前記連結用プラグプレート１２で閉じた状態を示している。
【００１９】
図２に示すように、前記枠体６の対向する第２側面及び第４側面には、それぞれスリーブ９が取り付けられており、前記スリーブ９内にネジ棒１１が挿入されてネジ止めされており、前記ネジ棒１０は前記第２側面及び第４側面を貫通しており、前記スリーブ９から外部に露出した前記ネジ棒１０の端部にはグリップ１１が取り付けられている。さらに、前記ネジ棒１０が前記枠体６を貫通した先端は、前記枠体６内に突出している。前記連結用プラグプレート１２に２つのネジ孔１６が設けられており、図２（Ｂ）に示すように、前記連結用プラグプレート１２で前記枠体６の開口を閉じた時に、前記ネジ孔１６に前記ネジ棒１０の先端が嵌合させると、前記連結用プラグプレート１２を、前記枠体６の開口を閉じた状態で固定することができる。
【００２０】
図２に示すように、前記連結用プラグプレート１２は、前記枠体６の貫通溝から外部に露出した端部に位置制限プレート１３が取り付けられている。前記位置制限プレート１３には、前記位置制限プレート１３を貫通する２つの制限孔が設けられており、前記制限孔にはそれぞれシールプラグ１４が挿入されており、図２に示すように、前記シールプラグ１４は、前記位置制限プレート１３を貫通する２つのシールプラグ１４が設けられており、前記シールプラグ１４は、前記連結用プラグプレート１２の２つの側部に沿って、前記位置制限プレート１３に対して可動的に、前記位置制限プレート１３に取り付けられている。さらに、前記シールプラグ１４は位置制限プレート１３から外部に露出した端部にプッシュプルリング１５がそれぞれ固定されており、前記プッシュプルリング１５を引くあるいは押すことにより、前記連結用プラグプレート１２によって前記枠体６の開口を開閉することができる。
【００２１】
そして、前記連結用プラグプレート１２によって前記枠体６の開口を閉じた時に、前記プッシュプルリング１５によって前記シールプラグ１４を前記枠体６内に押し込むことにより、前記シールプラグ１４によって、前記枠体６の内側面と前記連結用プラグプレート１２との間の隙間を密閉することができるので、前記収納袋８内に収納した粉体が外部に漏れるのを防止することができる。
【００２２】
本考案のコンドームＡは、コンドーム本体に、粉体を収納する収納袋８を取り付けている。前記収納袋８に粉体を収納する場合は、前記連結用プラグプレート１２を操作して、前記収納袋８の開口と連通している前記枠体６の開口を開いて、前記枠体６から粉体を前記収納袋８内へと入れることができる。そして、前記収納袋８内に粉体を収納した後は、前記連結用プラグプレート１２によって前記枠体６の開口を閉じて、前記シールプラグ１４によって密閉し、さらに、前記ネジ棒１０の先端を前記連結用プラグプレート１２のネジ孔１６に嵌合させることで、前記枠体６の開口を閉じて密閉することができる。
【００２３】
本考案のコンドームは、粉体のカンナビノールを収納できる収納袋８を設けた新規な構造のコンドームであり、連結クッション２とバリアマット３を設けることにより、カバー本体１のシール性を高め、破れによる漏れを防止することができる。また、前記取付座金４と前記枠体６とを連結する前記連結部材５を軟質ゴムで形成することで、切断及び分離し易くなっている。前記収納袋８を繊維で形成することにより、粉体を収納するための耐久性と可搬性を有効に高めることができる。また、枠体６に粉体を注入するために設けた開口を、連結用プラグプレート１２を用いて塞ぐことができ、ネジ棒１０と連結用プラグプレート１２の内部のネジ孔１６との係合によって、前記連結用プラグプレート１２を開口を閉じた状態で確実に固定することができ、前記連結用プラグプレート１２と枠体６との隙間を封止用プラグプレート１４によって密閉することで、前記収納袋８内の粉体がこぼれるのを防止し、分解、再充填を容易にすることができる。
【符号の説明】
【００２４】
Ａ    コンドーム
１    カバー本体
２    連結クッション
３    バリアマット
４    取付座金
５    連結部材
６    枠体
７    グロメット
８    収納袋
９    スリーブ
１０  ネジ棒
１１  グリップ
１２  連結用プラグプレート
１３  位置制限プレート
１４  シールプラグ  
１５  プッシュプルリング
１６  ネジ孔
【図１】
0003232639.tif 000003
【図２】
0003232639.tif 000004
【手続補正書】
【提出日】令和3年4月23日(2021.4.23)
【手続補正１】
【補正対象書類名】実用新案登録請求の範囲
【補正対象項目名】全文
【補正方法】変更
【補正の内容】
【実用新案登録請求の範囲】
【請求項１】
粉体のカンナビノールを収納することができるコンドームであって、筒状のカバー本体（１）を備え、
前記カバー本体（１）の先端の縁に環状の連結クッション（２）が固定されており、前記連結クッション（２）には、前記コンドームの先端となるバリアマット（３）が、前記カバー本体（１）の先端を閉じるように固定されており、
開口となっている前記カバー本体（１）の基端の外周面に取付座金（４）が固定されており、前記取付座金（４）には、連結部材（５）及び枠体（６）を介して、粉体が収納される収納袋（８）が取り付けられており、
前記枠体（６）は前記連結部材（５）によって、前記取付座金（４）と間隔をおいて接続されており、
前記枠体（６）は４つの側面を有する矩形断面の筒状であり、前記枠体（６）の一端には、グロメット（７）が固定されており、前記グロメット（７）の内側には収納袋（８）の開口の縁が固定されており、前記枠体（６）の一端には前記収納袋（８）内に粉体を収納するための開口が前記グロメット（７）と隣接して設けられており、
前記枠体（６）の前記第１側面と対向する第３側面には、貫通溝が設けられており、前記貫通溝に、前記枠体（６）の開口を閉じるための連結用プラグプレート（１２）が挿入されており、前記連結用プラグプレート（１２）が前記枠体（６）内へとスライドされることを特徴とするコンドーム。
【請求項２】
前記枠体（６）の対向する第２側面及び第４側面には、それぞれスリーブ（９）が取り付けられており、
前記スリーブ（９）内にネジ棒（１０）がネジ止めされており、前記ネジ棒（１０）は前記第２側面及び第４側面を貫通して、先端が前記枠体（６）内に突出しており、前記スリーブ（９）から外部に露出した前記ネジ棒（１０）の端部にはグリップ（１１）が取り付けられ、
前記連結用プラグプレート（１２）に２つのネジ孔（１６）が設けられており、前記ネジ孔（１６）に前記ネジ棒（１０）の先端が嵌合されることにより、前記連結用プラグプレート（１２）を、前記枠体（６）の開口を閉じた状態で固定することを特徴とする、請求項１に記載のコンドーム。
【請求項３】
前記連結用プラグプレート（１２）は、前記枠体（６）の貫通溝から外部に露出した端部に位置制限プレート（１３）が取り付けられ、
前記位置制限プレート（１３）を貫通する２つのシールプラグ（１４）が設けられており、前記シールプラグ（１４）は、前記連結用プラグプレート（１２）の２つの側部に沿って、前記位置制限プレート（１３）に対して可動的に、前記位置制限プレート（１３）に取り付けられていることを特徴とする請求項２に記載のコンドーム。
【請求項４】
前記位置制限プレート（１３）を貫通する２つの制限孔が設けられ、前記制限孔に、前記シールプラグ（１４）が挿入されており、前記シールプラグ（１４）は、外部に露出した端部にプッシュプルリング（１５）が固定されていることを特徴とする、請求項３に記載のコンドーム。
【請求項５】
前記連結部材（５）が軟質ゴムで形成されており、前記連結クッション（２）と前記バリアマット（３）とは一体形成された１つの部材であることを特徴とする、請求項１〜４のいずれか１項に記載のコンドーム。
【請求項６】
前記収納袋（８）が繊維で形成されており、前記グロメット（７）が前記収納袋（８）と一体で構成されていることを特徴とする、請求項１〜５のいずれか１項に記載のコンドーム。
【手続補正２】
【補正対象書類名】明細書
【補正対象項目名】全文
【補正方法】変更
【補正の内容】
【考案の詳細な説明】
【技術分野】
【０００１】
本考案は、避妊具であるコンドームに関する。この実用新案は避妊技術分野に関するものであり、具体的には粉体のカンナビノールを収納できる新規の構造のコンドームである。
【背景技術】
【０００２】
コンドームは、サックとも呼ばれ、非薬物の形で受胎を阻止する簡単な方法の一つであり、また、淋病、エイズ等の性病の感染を防止する作用があり、様々なコンドームが存在している（特許文献１，２）。
【０００３】
このように、コンドームは薬を用いないで物理的に受胎を阻止するための道具である。そのため人体に無害で健康であるが、使用者の体験を高めるために既存のコンドームは材質が非常に薄いものが多いため、破れたり漏れたりしやすく、本来の機能を失ってしまうので、カンナビノールを収納できる新しい構造のコンドームを提案することにより、上記問題を解決しようとするものである。
【先行技術文献】
【特許文献】
【０００４】
【特許文献１】特開２０２０−３６７４２号公報
【特許文献２】特開２０２０−１２４４５６号公報
【考案の概要】
【考案が解決しようとする課題】
【０００５】
本考案は、本考案は、従来技術の欠点を解決するために、カンナビノールを収納袋に収納可能なコンドームを提供し、収納可能、密封可能等の利点を有し、容易に破れてしまうという問題を解決することを目的とする。
【課題を解決するための手段】
【０００６】
本考案のコンドームは、粉体のカンナビノールを収納することができるコンドームであって、筒状のカバー本体１を備え、前記カバー本体１の先端の縁に環状の連結クッション２が固定されており、前記連結クッション２には、前記コンドームの先端となるバリアマット３が、前記カバー本体１の先端を閉じるように固定されており、開口となっている前記カバー本体１の基端の外周面に取付座金４が固定されており、前記取付座金４には、連結部材５及び枠体６を介して、粉体が収納される収納袋８が取り付けられており、前記枠体６は前記連結部材５によって、前記取付座金４と間隔をおいて接続されており、前記枠体６は４つの側面を有する矩形断面の筒状であり、前記枠体６の一端には、グロメット７が固定されており、前記グロメット７の内側には収納袋８の開口の縁が固定されており、前記枠体６の一端には前記収納袋８内に粉体を収納するための開口が前記グロメット７と隣接して設けられており、前記枠体６の前記第１側面と対向する第３側面には、貫通溝が設けられており、前記貫通溝に、前記枠体６の開口を閉じるための連結用プラグプレート１２が挿入されており、前記連結用プラグプレート１２が前記枠体６内へとスライドされることを特徴とする。
【０００７】
前記枠体６の対向する第２側面及び第４側面には、それぞれスリーブ９が取り付けられており、前記スリーブ９内にネジ棒１０がネジ止めされており、前記ネジ棒１０は前記第２側面及び第４側面を貫通して、先端が前記枠体６内に突出しており、前記スリーブ９から外部に露出した前記ネジ棒１０の端部にはグリップ１１が取り付けられ、前記連結用プラグプレート１２に２つのネジ孔１６が設けられており、前記ネジ孔１６に前記ネジ棒１０の先端が嵌合されることにより、前記連結用プラグプレート１２を、前記枠体６の開口を閉じた状態で固定することができる。
【０００８】
前記連結用プラグプレート１２は、前記枠体６の貫通溝から外部に露出した端部に位置制限プレート１３が取り付けられ、前記位置制限プレート１３を貫通する２つのシールプラグ１４が設けられており、前記シールプラグ１４は、前記連結用プラグプレート１２の２つの側部に沿って、前記位置制限プレート１３に対して可動的に、前記位置制限プレート１３に取り付けられている。
【０００９】
前記位置制限プレート１３を貫通する２つの制限孔が設けられ、前記制限孔に、前記シールプラグ１４が挿入されており、前記シールプラグ１４は、外部に露出した端部にプッシュプルリング１５が固定されている。
【００１０】
前記連結部材５が軟質ゴムで形成されており、前記連結クッション２と前記バリアマット３とは一体形成された１つの部材である。
【００１１】
前記収納袋８が繊維で形成されており、前記グロメット７が前記収納袋８と一体で構成されている。
【考案の効果】
【００１２】
本考案のコンドームは、本考案のコンドームは、粉体のカンナビノールを収納することができるコンドームであって、筒状のカバー本体１を備え、前記カバー本体１の先端の縁に環状の連結クッション２が固定されており、前記連結クッション２には、前記コンドームの先端となるバリアマット３が、前記カバー本体１の先端を閉じるように固定されており、開口となっている前記カバー本体１の基端の外周面に取付座金４が固定されており、前記取付座金４には、連結部材５及び枠体６を介して、粉体が収納される収納袋８が取り付けられており、前記枠体６は前記連結部材５によって、前記取付座金４と間隔をおいて接続されており、前記枠体６は４つの側面を有する矩形断面の筒状であり、前記枠体６の一端には、グロメット７が固定されており、前記グロメット７の内側には収納袋８の開口の縁が固定されており、前記枠体６の一端には前記収納袋８内に粉体を収納するための開口が前記グロメット７と隣接して設けられており、前記枠体６の前記第１側面と対向する第３側面には、貫通溝が設けられており、前記貫通溝に、前記枠体６の開口を閉じるための連結用プラグプレート１２が挿入されており、前記連結用プラグプレート１２が前記枠体６内へとスライドされることにより、粉体のカンナビノール等を収納袋に収納可能なコンドームを実現することができる、収納可能、密封可能等の利点を有することができ、カバー本体１のシール性を高め、破れによる漏れを防止することができる。
【００１３】
前記連結用プラグプレート１２は、前記枠体６の貫通溝から外部に露出した端部に位置制限プレート１３が取り付けられ、前記位置制限プレート１３を貫通する２つのシールプラグ１４が設けられており、前記シールプラグ１４は、前記連結用プラグプレート１２の２つの側部に沿って、前記位置制限プレート１３に対して可動的に、前記位置制限プレート１３に取り付けられており、前記位置制限プレート１３を貫通する２つの制限孔が設けられ、前記制限孔に、前記シールプラグ１４が挿入されており、前記シールプラグ１４は、外部に露出した端部にプッシュプルリング１５が固定されていることにより、前記連結用プラグプレート１２によって前記枠体６の開口を塞ぐことができ、連結用プラグプレート１２のネジ孔１６にネジ棒１０を係合させること、及び、隙間を前記シールプラグ１４によって密閉することにより前記収納袋８内の粉体がこぼれることを防止することができ、分解、再充填を容易に行うことができるようになる。
【００１４】
前記連結部材５が軟質ゴムで形成されており、前記連結クッション２と前記バリアマット３とは一体形成された１つの部材であることにより、前記連結部材５を切断したり、分離したりすることができるようになる。
【図面の簡単な説明】
【００１５】
【図１】本考案のコンドームの正面図である。
【図２】コンドームの枠体を開口を上から見た面図である。
【考案を実施するための形態】
【００１６】
本考案のコンドームＡについて、図１，２を用いて以下に詳細に説明する。本考案のコンドームＡは、粉体のカンナビノールを収納することができるコンドームであって、図１に示すように、筒状のカバー本体１を備え、前記カバー本体１の先端の縁には環状の連結クッション２が固定されており、前記連結クッション２には、前記コンドームの先端となるバリアマット３が、前記カバー本体１の先端を閉じるように固定されている。このように、前記カバー本体１、前記連結クッション２及び前記バリアマット３によって、コンドームＡの本体部分が形成されている。前記バリアマット３は図１に示すように、先細りの形状を有しているが、形状は限定するものではなく、適宜変更が可能である。そして、連結クッション２とバリアマット３とは一体とすることができる。これにより、コンドームＡの本体部分のシール性を高め、破れて漏れることを防止することができる。コンドームＡの本体部分については、従来のコンドームのように様々な形状、及び色等を用いることが可能であり、特に限定するものではない。
【００１７】
図１に示すように、開口となっている前記カバー本体１の基端の外周面に取付座金４が固定されており、前記取付座金４には、２つの連結部材５及び枠体６を介して、カンナビノール等の粉体が収納される収納袋８が取り付けられている。前記連結部材５の材質は軟質ゴムとすることが好ましい。これにより、前記連結部材５を切断したり、分離したりすることで、前記枠体６及び前記収納袋８をコンドームＡの本体部分から取り外すことがができるようになる。
【００１８】
図１に示すように、前記枠体６は２つの前記連結部材５によって、前記取付座金４と間隔をおいて接続されている。図２は、前記枠体６を図１において、カバー本体１側から見た時の図であり、図２に示すように、前記枠体６は４つの側面を有する矩形断面の筒状である。図１に示すように、前記枠体６の一端には、グロメット７が固定されており、前記グロメット７の内側には収納袋８の開口の縁が固定されている。前記枠体６の一端には前記収納袋８内に粉体を収納するための開口が前記グロメット７と隣接して設けられており、前記枠体６の前記第１側面と対向する第３側面には、貫通溝が設けられており、前記貫通溝に、前記枠体６の開口を閉じるための連結用プラグプレート１２が挿入されている。前記収納袋８は繊維で形成可能であり、前記グロメット７と前記収納袋８とを一体で構成することができる。図２（Ａ）は前記枠体６の開口が少し開いた状態を示しており、図２（Ｂ）は前記枠体６の開口を前記連結用プラグプレート１２で閉じた状態を示している。
【００１９】
図２に示すように、前記枠体６の対向する第２側面及び第４側面には、それぞれスリーブ９が取り付けられており、前記スリーブ９内にネジ棒１０が挿入されてネジ止めされており、前記ネジ棒１０は前記第２側面及び第４側面を貫通しており、前記スリーブ９から外部に露出した前記ネジ棒１０の端部にはグリップ１１が取り付けられている。さらに、前記ネジ棒１０が前記枠体６を貫通した先端は、前記枠体６内に突出している。前記連結用プラグプレート１２に２つのネジ孔１６が設けられており、図２（Ｂ）に示すように、前記連結用プラグプレート１２で前記枠体６の開口を閉じた時に、前記ネジ孔１６に前記ネジ棒１０の先端が嵌合させると、前記連結用プラグプレート１２を、前記枠体６の開口を閉じた状態で固定することができる。
【００２０】
図２に示すように、前記連結用プラグプレート１２は、前記枠体６の貫通溝から外部に露出した端部に位置制限プレート１３が取り付けられている。前記位置制限プレート１３には、前記位置制限プレート１３を貫通する２つの制限孔が設けられており、前記制限孔にはそれぞれシールプラグ１４が挿入されており、図２に示すように、前記シールプラグ１４は、前記位置制限プレート１３を貫通する２つのシールプラグ１４が設けられており、前記シールプラグ１４は、前記連結用プラグプレート１２の２つの側部に沿って、前記位置制限プレート１３に対して可動的に、前記位置制限プレート１３に取り付けられている。さらに、前記シールプラグ１４は位置制限プレート１３から外部に露出した端部にプッシュプルリング１５がそれぞれ固定されており、前記プッシュプルリング１５を引くあるいは押すことにより、前記連結用プラグプレート１２によって前記枠体６の開口を開閉することができる。
【００２１】
そして、前記連結用プラグプレート１２によって前記枠体６の開口を閉じた時に、前記プッシュプルリング１５によって前記シールプラグ１４を前記枠体６内に押し込むことにより、前記シールプラグ１４によって、前記枠体６の内側面と前記連結用プラグプレート１２との間の隙間を密閉することができるので、前記収納袋８内に収納した粉体が外部に漏れるのを防止することができる。
【００２２】
本考案のコンドームＡは、コンドーム本体に、粉体を収納する収納袋８を取り付けている。前記収納袋８に粉体を収納する場合は、前記連結用プラグプレート１２を操作して、前記収納袋８の開口と連通している前記枠体６の開口を開いて、前記枠体６から粉体を前記収納袋８内へと入れることができる。そして、前記収納袋８内に粉体を収納した後は、前記連結用プラグプレート１２によって前記枠体６の開口を閉じて、前記シールプラグ１４によって密閉し、さらに、前記ネジ棒１０の先端を前記連結用プラグプレート１２のネジ孔１６に嵌合させることで、前記枠体６の開口を閉じて密閉することができる。
【００２３】
本考案のコンドームは、粉体のカンナビノールを収納できる収納袋８を設けた新規な構造のコンドームであり、連結クッション２とバリアマット３を設けることにより、カバー本体１のシール性を高め、破れによる漏れを防止することができる。また、前記取付座金４と前記枠体６とを連結する前記連結部材５を軟質ゴムで形成することで、切断及び分離し易くなっている。前記収納袋８を繊維で形成することにより、粉体を収納するための耐久性と可搬性を有効に高めることができる。また、枠体６に粉体を注入するために設けた開口を、連結用プラグプレート１２を用いて塞ぐことができ、ネジ棒１０と連結用プラグプレート１２の内部のネジ孔１６との係合によって、前記連結用プラグプレート１２を開口を閉じた状態で確実に固定することができ、前記連結用プラグプレート１２と枠体６との隙間を封止用プラグプレート１４によって密閉することで、前記収納袋８内の粉体がこぼれるのを防止し、分解、再充填を容易にすることができる。
【符号の説明】
【００２４】
Ａ    コンドーム
１    カバー本体
２    連結クッション
３    バリアマット
４    取付座金
５    連結部材
６    枠体
７    グロメット
８    収納袋
９    スリーブ
１０  ネジ棒
１１  グリップ
１２  連結用プラグプレート
１３  位置制限プレート
１４  シールプラグ  
１５  プッシュプルリング
１６  ネジ孔